【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
被写体画像を撮像する撮像手段と、
前記撮像手段によって得られた画像データを記録媒体に記録する記録手段と、
前記撮像手段によって得られた画像データに係る画像及び前記記録媒体に記録された画像データに係る画像を選択的に表示装置に表示する表示手段と、
前記表示手段により表示される画像の撮影時のレート及び前記表示装置における表示レートに基づいて、前記表示手段により表示される画像に対する間引き率を決定する間引き率決定手段と、
前記間引き率決定手段により決定された間引き率に基づいて、前記表示手段により表示される画像に対して間引き処理を行う画像間引き手段と、
前記画像間引き手段によって間引き処理された画像に繰り返し出力される画像を挿入することによって、前記画像間引き手段によって間引き処理された後の画像のレートを前記表示装置における表示レートに合わせるレート変換手段と、
を有することを特徴とする撮像装置。
【請求項２】
前記間引き率決定手段は、
前記撮影時のレートと前記表示レートとを比較する比較手段と、
前記比較手段による比較の結果に基づいて、画像を１枚表示した後にｋ−１枚を間引くことに相当する分周値ｋを算出する分周値算出手段と、
を有し、
前記画像間引き手段は、前記分周値ｋに従って画像の間引きを行うことを特徴とする請求項１に記載の撮像装置。
【請求項３】
前記分周値算出手段は、
前記比較手段による比較の結果、前記撮影時のレートが前記表示レート以下である場合に、前記分周値ｋを１に初期化して前記画像間引き手段に提供する第１の初期化手段と、
前記比較手段による比較の結果、前記撮影時のレートが前記表示レートより速い場合に、前記分周値ｋを２に初期化する第２の初期化手段と、
前記第２の初期化手段により初期化された前記分周値ｋに対し、前記撮影時のレートをｋ分周したときのフレームレートが前記表示レート以下となるまで前記分周値ｋを１ずつ増加させ、当該フレームレートが前記表示レート以下となる分周値ｋを前記画像間引き手段に提供する分周値インクリメント手段と、
を有することを特徴とする請求項２に記載の撮像装置。
【請求項４】
前記記録手段は、
前記撮像手段によって得られた画像データを圧縮符号化し、圧縮画像データを生成する圧縮手段と、
前記圧縮画像データに前記撮影時のレートに係る情報を付加するレート情報付加手段と、
前記圧縮画像データを前記記録媒体に記録する圧縮画像データ記録手段と、
を有することを特徴とする請求項１乃至３のいずれか１項に記載の撮像装置。
【請求項５】
前記表示手段は、
前記記録媒体に記録された前記圧縮画像データを読み出して伸長する伸長手段と、
前記圧縮画像データに付加されている前記撮影時のレートに係る情報を読み出すレート情報読み出し手段と、
を有することを特徴とする請求項４に記載の撮像装置。
【請求項６】
前記表示手段により前記記録媒体の再生画像を前記表示装置に表示する場合、前記間引き率決定手段は、前記圧縮画像データに付加されている前記撮影時のレートに係る情報及び前記表示装置における表示レートに基づいて、画像の間引き率を決定することを特徴とする請求項５に記載の撮像装置。
【請求項７】
撮影動作時における記録レートを設定可能な操作手段をさらに有し、
前記撮像手段による被写体画像の撮像と並行して、前記表示手段により前記撮像手段により撮像された被写体画像を前記表示装置に表示する場合、前記間引き率決定手段は、前記操作手段により設定された記録レート及び前記表示装置における表示レートに基づいて、画像の間引き率を決定することを特徴とする請求項１に記載の撮像装置。
【請求項８】
前記間引き率決定手段は、前記撮影時のレート、前記表示レート及び、前記表示手段が前記表示装置に再生画像を表示するときの再生速度に基づいて画像の間引き率を決定することを特徴とする請求項１に記載の撮像装置。
【請求項９】
前記間引き率決定手段は、
前記再生速度の撮像速度に対する倍率を前記撮影時のレートに乗算して乗算フレームレートを求める乗算手段と、
前記乗算フレームレートと前記表示レートとを比較する比較手段と、
前記比較手段による比較の結果に基づいて、フレーム画像を１枚表示した後にｋ−１枚を間引くことに相当する分周値ｋを算出する分周値算出手段と、
を有し、
前記画像間引き手段は、前記分周値ｋに従ってフレーム画像の間引きを行うことを特徴とする請求項８に記載の撮像装置。
【請求項１０】
前記分周値算出手段は、
前記比較手段による比較の結果、前記乗算フレームレートが前記表示レート以下である場合に、前記分周値ｋを１に初期化して前記画像間引き手段に提供する第１の初期化手段と、
前記比較手段による比較の結果、前記乗算フレームレートが前記表示レートより速い場合に、前記分周値ｋを２に初期化する第２の初期化手段と、
前記第２の初期化手段により初期化された前記分周値ｋに対し、前記乗算フレームレートをｋ分周したときのフレームレートが前記表示レート以下となるまで前記分周値ｋを１ずつ増加させ、当該フレームレートが前記表示レート以下となる分周値ｋを前記画像間引き手段に提供する分周値インクリメント手段と、
を有することを特徴とする請求項９に記載の撮像装置。
【請求項１１】
被写体画像を撮像する撮像手段、前記撮像手段によって得られた画像データを記録媒体に記録する記録手段、及び前記撮像手段からの撮像画像及び前記記録媒体に記録された記録画像を選択的に表示装置に表示する表示手段を備えた撮像装置を制御する方法であって、
前記表示手段により表示される画像の撮影時のレート及び前記表示装置における表示レートに基づいて、前記表示手段により表示される画像に対する間引き率を決定する間引き率決定ステップと、
前記間引き率決定ステップにおいて決定された間引き率に基づいて、前記表示手段により表示される画像に対して間引き処理を行う画像間引きステップと、
前記画像間引きステップにおいて間引き処理された画像に繰り返し出力される画像を挿入することによって、前記画像間引きステップにおいて間引き処理された後の画像のレートを前記表示装置における表示レートに合わせるレート変換ステップと、
前記レート変換ステップにおいてレート変換された画像を前記表示装置に表示する表示ステップと、
を有することを特徴とする撮像装置の制御方法。
【請求項１２】
被写体画像を撮像する撮像手段、前記撮像手段によって得られた画像データを記録媒体に記録する記録手段、及び前記撮像手段からの撮像画像及び前記記録媒体に記録された記録画像を選択的に表示装置に表示する表示手段を備えた撮像装置を制御するためのプログラムであって、
コンピュータに、
前記表示手段により表示される画像の撮影時のレート及び前記表示装置における表示レートに基づいて、前記表示手段により表示される画像に対する間引き率を決定する間引き率決定手順と、
前記間引き率決定手順において決定された間引き率に基づいて、前記表示手段により表示される画像に対して間引き処理を行う画像間引き手順と、
前記画像間引き手順において間引き処理された画像に繰り返し出力される画像を挿入することによって、前記画像間引き手順において間引き処理された後の画像のレートを前記表示装置における表示レートに合わせるレート変換手順と、
前記レート変換手順においてレート変換された画像を前記表示装置に表示する表示手順と、
を実行させることを特徴とするプログラム。
【手続補正２】
【補正対象書類名】明細書
【補正対象項目名】００１１
【補正方法】変更
【補正の内容】
【００１１】
本発明に係る撮像装置は、被写体画像を撮像する撮像手段と、前記撮像手段によって得られた画像データを記録媒体に記録する記録手段と、前記撮像手段によって得られた画像データに係る画像及び前記記録媒体に記録された画像データに係る画像を選択的に表示装置に表示する表示手段と、前記表示手段により表示される画像の撮影時のレート及び前記表示装置における表示レートに基づいて、前記表示手段により表示される画像に対する間引き率を決定する間引き率決定手段と、前記間引き率決定手段により決定された間引き率に基づいて、前記表示手段により表示される画像に対して間引き処理を行う画像間引き手段と、前記画像間引き手段によって間引き処理された画像に繰り返し出力される画像を挿入することによって、前記画像間引き手段によって間引き処理された後の画像のレートを前記表示装置における表示レートに合わせるレート変換手段と、を有することを特徴とする。
【手続補正３】
【補正対象書類名】明細書
【補正対象項目名】００１２
【補正方法】変更
【補正の内容】
【００１２】
本発明に係る撮像装置の制御方法は、被写体画像を撮像する撮像手段、前記撮像手段によって得られた画像データを記録媒体に記録する記録手段、及び前記撮像手段からの撮像画像及び前記記録媒体に記録された記録画像を選択的に表示装置に表示する表示手段を備えた撮像装置を制御する方法であって、前記表示手段により表示される画像の撮影時のレート及び前記表示装置における表示レートに基づいて、前記表示手段により表示される画像に対する間引き率を決定する間引き率決定ステップと、前記間引き率決定ステップにおいて決定された間引き率に基づいて、前記表示手段により表示される画像に対して間引き処理を行う画像間引きステップと、前記画像間引きステップにおいて間引き処理された画像に繰り返し出力される画像を挿入することによって、前記画像間引きステップにおいて間引き処理された後の画像のレートを前記表示装置における表示レートに合わせるレート変換ステップと、
前記レート変換ステップにおいてレート変換された画像を前記表示装置に表示する表示ステップと、を有することを特徴とする。
【手続補正４】
【補正対象書類名】明細書
【補正対象項目名】００１３
【補正方法】変更
【補正の内容】
【００１３】
本発明に係るプログラムは、被写体画像を撮像する撮像手段、前記撮像手段によって得られた画像データを記録媒体に記録する記録手段、及び前記撮像手段からの撮像画像及び前記記録媒体に記録された記録画像を選択的に表示装置に表示する表示手段を備えた撮像装置を制御するためのプログラムであって、コンピュータに、前記表示手段により表示される画像の撮影時のレート及び前記表示装置における表示レートに基づいて、前記表示手段により表示される画像に対する間引き率を決定する間引き率決定手順と、前記間引き率決定手順において決定された間引き率に基づいて、前記表示手段により表示される画像に対して間引き処理を行う画像間引き手順と、前記画像間引き手順において間引き処理された画像に繰り返し出力される画像を挿入することによって、前記画像間引き手順において間引き処理された後の画像のレートを前記表示装置における表示レートに合わせるレート変換手順と、前記レート変換手順においてレート変換された画像を前記表示装置に表示する表示手順と、を実行させることを特徴とする。
【手続補正５】
【補正対象書類名】明細書
【補正対象項目名】００２０
【補正方法】変更
【補正の内容】
【００２０】
ここで、レート変換部１１について説明する。図２は、レート変換部１１の構成を示すブロック図である。レート変換部１１には、間引き処理部２１、フレームレート変換処理部３１及びフレームレート変換制御部３６が設けられている。間引き処理部２１には、第１のフレームメモリ２３、第２のフレームメモリ２４、間引き用フレームメモリ書き込み部２２及び間引き用フレームメモリ読み出し部２５が設けられている。また、フレームレート変換処理部３１には、第３のフレームメモリ３３、第４のフレームメモリ３４、レート変換用フレームメモリ書き込み部３２及びレート変換用フレームメモリ読み出し部３５が設けられている。間引き用フレームメモリ書き込み部２２、間引き用フレームメモリ読み出し部２５、レート変換用フレームメモリ書き込み部３２及びレート変換用フレームメモリ読み出し部３５は、各々独立的にフレームレート変換制御部３６からの制御信号によって制御される。フレームレート変換制御部３６は、図９に示すアルゴリズムに従いフレーム間引き数ｎを決定し制御信号を出力する。
【手続補正６】
【補正対象書類名】明細書
【補正対象項目名】００３２
【補正方法】変更
【補正の内容】
【００３２】
信号処理部４による処理が終了すると、レート変換部１１は、操作部７で設定された表示レート及び記録レートに基づいて、次のようなフレームレート変換処理を行う。即ち、先ず、フレームレート変換制御部３６が、図９に示すアルゴリズムに従い、連続するフィールド間での映像の時間的な更新距離が一定になるようフレーム間引き数ｎを決定し、制御信号を出力する。この例では、記録レートが６０ｆｐｓ、表示レートが５０ｆｐｓと設定されており、記録レート（６０ｆｐｓ）が表示レート（５０ｆｐｓ）よりも速いため、フレームレート変換制御部３６は、分周値ｋを２に初期化する（ステップＳ１０及びＳ１１）。その後、表示レートが、ｋ分周された記録レートよりも速くなるまで、分周値ｋを１ずつ増やす（ステップＳ１３及びＳ１４）。この例では、分周値ｋが２のときに、「表示レート（５０ｆｐｓ）≧記録レート（６０ｆｐｓ）／２」となるため、分周値ｋは２となる。次いで、フレームレート変換制御部３６は、フレーム間引き数ｎとして「ｋ−１＝１」を設定する（ステップＳ１５）。この結果、フレームレート変換制御部３６は、１枚ずつフレームを間引くように制御信号を出力することとなる。
【手続補正７】
【補正対象書類名】明細書
【補正対象項目名】００４３
【補正方法】変更
【補正の内容】
【００４３】
レート変換部１１は、記録レート及び操作部７からの制御信号に基づいて、次のようなフレームレート変換処理を行う。即ち、先ず、フレームレート変換制御部３６が、図９に示すアルゴリズムに従い、連続するフィールド間での映像の時間的な更新距離が一定になるようフレーム間引き数ｎを決定し、制御信号を出力する。この例では、ヘッダー情報から読み出された記録レートが６０ｆｐｓ、操作部７で設定された表示レートが５０ｆｐｓであり、記録レート（６０ｆｐｓ）が表示レート（５０ｆｐｓ）よりも速いため、フレームレート変換制御部３６は、分周値ｋを２に初期化する（ステップＳ１０及びＳ１１）。その後、表示レートが、ｋ分周された記録レートよりも速くなるまで、分周値ｋを１ずつ増やす（ステップＳ１３及びＳ１４）。この例では、分周値ｋが２のときに、「表示レート（５０ｆｐｓ）≧記録レート（６０ｆｐｓ）／２」となるため、分周値ｋは２となる。次いで、フレームレート変換制御部３６は、フレーム間引き数ｎとして「ｋ−１＝１」を設定する（ステップＳ１５）。この結果、フレームレート変換制御部３６は、１枚ずつフレームを間引くように制御信号を出力することとなる。
【手続補正８】
【補正対象書類名】明細書
【補正対象項目名】００５０
【補正方法】変更
【補正の内容】
【００５０】
そして、レート変換部１１においては、フレームレート変換制御部３６が、図９に示すアルゴリズムに従い、連続するフィールド間での映像の時間的な更新距離が一定になるようフレーム間引き数ｎを決定し、制御信号を出力する。この例では、ヘッダー情報から読み出された記録レートが１２０ｆｐｓであり、操作部７で設定された表示レートが５０ｆｐｓであり、記録レート（１２０ｆｐｓ）が表示レート（５０ｆｐｓ）よりも速いため、フレームレート変換制御部３６は、分周値ｋを２に初期化する（ステップＳ１０及びＳ１１）。その後、表示レートが、ｋ分周された記録レートよりも速くなるまで、分周値ｋを１ずつ増やす（ステップＳ１３及びＳ１４）。この例では、分周値ｋが３のときに、「表示レート（５０ｆｐｓ）≧記録レート（１２０ｆｐｓ）／３」となるため、分周値ｋは３となる。次いで、フレームレート変換制御部３６は、フレーム間引き数ｎとして「ｋ−１＝２」を設定する（ステップＳ１５）。この結果、フレームレート変換制御部３６は、２枚ずつフレームを間引くように制御信号を出力することとなる。
【手続補正９】
【補正対象書類名】明細書
【補正対象項目名】００５８
【補正方法】変更
【補正の内容】
【００５８】
そして、レート変換部１１においては、フレームレート変換制御部３６が、図９に示すアルゴリズムに従い、連続するフィールド間での映像の時間的な更新距離が一定になるようフレーム間引き数ｎを決定し、制御信号を出力する。この例では、ヘッダー情報から読み出された記録レートが１２０ｆｐｓであり、操作部７で設定された表示レートが５９．９４ｆｐｓであり、記録レート（１２０ｆｐｓ）が表示レート（５９．９４ｆｐｓ）よりも速いため、フレームレート変換制御部３６は、分周値ｋを２に初期化する（ステップＳ１０及びＳ１１）。その後、表示レートが、ｋ分周された記録レートよりも速くなるまで、分周値ｋを１ずつ増やす（ステップＳ１３及びＳ１４）。この例では、分周値ｋが３のときに、「表示レート（５９．９４ｆｐｓ）≧記録レート（１２０ｆｐｓ）／３」となるため、分周値ｋは３となる。次いで、フレームレート変換制御部３６は、フレーム間引き数ｎとして「ｋ−１＝２」を設定する（ステップＳ１５）。この結果、フレームレート変換制御部３６は、２枚ずつフレームを間引くように制御信号を出力することとなる。
【手続補正１０】
【補正対象書類名】明細書
【補正対象項目名】００７６
【補正方法】変更
【補正の内容】
【００７６】
その後、フレームレート変換制御部３６は、図１０に示すアルゴリズムに従い、連続するフィールド間での映像の時間的な更新距離が一定になるようフレーム間引き数ｎを決定し、制御信号を出力する。この例では、記録レートが６０ｆｐｓ、表示レートが５０ｆｐｓと設定され、且つ再生速度倍率Ｓが１／２であり、記録レート（６０ｆｐｓ）と再生速度倍率Ｓ（１／２）との乗算結果（３０ｆｐｓ）が表示レート（５０ｆｐｓ）よりも遅いため、フレームレート変換制御部３６は、分周値ｋを１に初期化する（ステップＳ２０及びＳ２２）。この結果、フレーム間引き数ｎは０となる（ステップＳ２５）。つまり、通常の再生速度（１倍速）のときには、第１の実施形態のように、１／２に間引く処理を行った後にフレームレート変換処理を行うのに対し、スロー再生（１／２倍速）のときには、間引きを行わずにフレームレート変換処理を行う。従って、記録された画像データがもつフレームデータをできるだけ多く出力することで、より滑らかな変化で画像を表示することができる。
【手続補正１１】
【補正対象書類名】明細書
【補正対象項目名】００７９
【補正方法】変更
【補正の内容】
【００７９】
その後、フレームレート変換制御部３６は、図１０に示すアルゴリズムに従い、連続するフィールド間での映像の時間的な更新距離が一定になるようフレーム間引き数ｎを決定し、制御信号を出力する。この例では、記録レートが１２０ｆｐｓ、表示レートが５０ｆｐｓと設定され、且つ再生速度倍率Ｓが１／２であり、記録レート（１２０ｆｐｓ）と再生速度倍率Ｓ（１／２）との乗算結果（６０ｆｐｓ）が表示レート（５０ｆｐｓ）よりも速いため、フレームレート変換制御部３６は、分周値ｋを２に初期化する（ステップＳ２０及びＳ２１）。その後、表示レートが、ｋ分周された乗算結果よりも速くなるまで、分周値ｋを１ずつ増やす（ステップＳ２３及びＳ２４）。この例では、分周値ｋが２のときに、「表示レート（５０ｆｐｓ）≧記録レート（１２０ｆｐｓ）×再生速度倍率Ｓ（１／２）／２」となるため、分周値ｋは２となる。次いで、フレームレート変換制御部３６は、フレーム間引き数ｎとして「ｋ−１＝１」を設定する（ステップＳ２５）。この結果、フレームレート変換制御部３６は、１枚ずつフレームを間引くように制御信号を出力することとなる。つまり、通常の再生速度（１倍速）のときには、第１の実施形態のように、１／３に間引く処理を行った後にフレームレート変換処理を行うのに対し、スロー再生（１／２倍速）のときには、１／２に間引く処理を行った後にフレームレート変換処理を行う。従って、スロー再生時には通常の再生速度時よりも、できるだけ多く記録された画像データがもつフレームデータを出力することで、より滑らかな変化で画像を表示することができる。